(57)【要約】【課題】  使用頻度の高いレフィールのインキを使いす尽くしても新しいレフィールに容易に交換できて長期間にわたって使用可能な多芯筆記具を提供する。【解決手段】  弾発部材３９により後方に付勢された複数のレフィール３０が軸筒１０内に収容され、レフィールの後端部に取り付けられたスライダー４０を前進させ、スライダーを軸筒の係止部１６に係合することにより１のレフィールのペン体３１を軸筒の先端開口１５から選択的に突出させる多芯筆記具において、軸筒内に予備レフィール５０を内蔵させるが、各レフィールが挿通される詰栓２０の挿通孔２１の１つに保持部２２を形成し、予備レフィールを保持部が形成された挿通孔に挿通してこの保持部により保持し、また、軸筒の後端部に縦リブ１４を形成し、詰栓で保持された予備レフィールの尾端部を縦リブの先端縁に当接して位置決めする。【選択図】  図１
2005066963.tif 000002
【特許請求の範囲】
【請求項１】
弾発部材により後方に付勢された複数のレフィールが軸筒内に収容され、レフィールの後端部に取り付けられたスライダーを前進させ、該スライダーを軸筒の係止部に係合することにより１のレフィールのペン体部を軸筒の先端開口から選択的に突出させる多芯筆記具において、前記軸筒内に予備レフィールが内蔵されたことを特徴とする多芯筆記具。
【請求項２】
前記各レフィールが挿通される詰栓の挿通孔の１つに保持部が形成され、詰栓の挿通孔に挿通された予備レフィールが該保持部により保持されたことを特徴とする請求項１記載の多芯筆記具。
【請求項３】
前記軸筒の後端部に縦リブが形成され、予備レフィールの尾端部が該縦リブの先端縁に当接したことを特徴とする請求項２記載の多芯筆記具。
【発明の詳細な説明】
【技術分野】
【０００１】
本発明は、弾発部材により後方に付勢された複数のレフィールが軸筒内に収容され、１のレフィールのペン体部を軸筒の先端開口から選択的に突出させる多芯筆記具に関するものである。
【背景技術】
【０００２】
多芯筆記具、ことにの多芯ボールペンとしては、ボールペンレフィールの後端部に取り付けられたスライダーを前進させ、このスライダーを軸筒の係止部に係合することにより１のボールペンレフィールのペン体部を軸筒の先端開口から選択的に突出させるようにしたものが、回転カムを使用する多芯筆記具などに比べて構造が簡単であり、かつ３本ないしそれ以上の本数のレフィールを軸筒内に収容できて多色化が可能であるので多用されている。
【０００３】
かかる多芯ボールペンは、軸筒内に複数個の挿通孔を有する詰栓が配置されているが、各ボールペンレフィールは詰栓の挿通孔にそれぞれ挿通されており、この詰栓は各ボールペンレフィールが軸筒内を前後動する際の案内部材の役目をし、また、ボールペンレフィーを後方に弾発するスプリングの受け具の役目を果たしている。
【０００４】
例えば、黒色、青色、赤色の３本のボールペンレフィールを軸筒内に収容した多芯ボールペンにおいて、わが国では、黒色のボールペンで筆記する頻度が最も高く、青色や赤色のボールペンは補助的に使用されるに過ぎないことが多い。したがって、黒色のボールペンレフィールのインキが最初に使い尽くされるが、替芯の黒色のボールペンレフィールを買い求めて交換するのが面倒なため、青色や赤色のインキが十分に残存しているにもかかわらず、ボールペン自体を廃棄してしまうことがある。このため、廃棄物処理や資源保護の観点からも問題がある。
【特許文献１】特許第３３８４１８７号公報
【発明の開示】
【発明が解決しようとする課題】
【０００５】
解決しようとする課題は、使用頻度の高いレフィールのインキを使いす尽くしても新しいレフィールに容易に交換できて長期間にわたって使用可能な多芯筆記具を提供することである。
【課題を解決するための手段】
【０００６】
本発明は、弾発部材により後方に付勢された複数のレフィールが軸筒内に収容され、レフィールの後端部に取り付けられたスライダーを前進させ、スライダーを軸筒の係止部に係合することにより１のレフィールのペン体部を軸筒の先端開口から選択的に突出させる多芯筆記具において、軸筒内に予備レフィールを内蔵させるが、各レフィールが挿通される詰栓の挿通孔の１つに保持部を形成し、予備レフィールを保持部が形成された挿通孔に挿通してこの保持部により保持し、また、軸筒の後端部に縦リブを形成し、詰栓で保持された予備レフィールの尾端部を縦リブの先端縁に当接して位置決めすることを最も主要な特徴とする。
【発明の効果】
【０００７】
最も使用頻度の高い色のインキのレフィールを内蔵させると、この色のインキを使いす尽くしても新しいレフィールに容易に交換できて長期間にわたって使用可能にな多芯筆記具となり、廃棄物処理や資源保護の観点からも好ましい。
【発明を実施するための最良の形態】
【０００８】
使用頻度の高いレフィールのインキを使いす尽くしても新しいレフィールに容易に交換できて長期間にわたって使用可能な多芯筆記具を提供するという目的を、予備レフィールを軸筒内に内蔵させる簡単な構造で実現した。  
【実施例１】
【０００９】
図１および図２は、黒色、青色、赤色の３本のボールペンレフィールを軸筒内に収容した多芯ボールペンを示すが、合成樹脂で成形された軸筒１０は後軸１１と前軸１２からなり、前軸１２の後端は後軸１１の前端に螺合されており、容易に前軸１２を後軸１１から取り外すことができる。後軸１１の尾端側の周面には３本のスリット１３が形成されており、尾端側内部には１本の縦リブ１４が形成されている。また、前軸１２は先端開口１５を有する。軸筒１０内には、黒色、青色、赤色のインキが充填された３本のボールペンレフィール３０使用頻度が最も高い黒色インキが充填された予備ボールペンレフィール５０が収容されている。
【００１０】
後軸１１内には詰栓２０が配置されている。詰栓２０は、図３および図４に示すように、黒色、青色、赤色のインキが充填された３本のボールペンレフィール３０が挿通される３個の挿通孔２１および予備ボールペンレフィール５０が挿通される挿通孔２１ａが形成されている。そして、挿通孔２１ａは完全な円形ではなく、平坦部からなる保持部２２が形成されている。数値の具体例を挙げれば、ボールペンレフィール３０および予備ボールペンレフィール５０の外径はφ３．０ｍｍであり、挿通孔２１、２１ａの最小内径はφ３．２ｍｍである。そして、保持部２２表面の平坦部の寸法は２．９ｍｍである。したがって、挿通孔２１に挿通されたボールペンレフィール３０は詰栓２０に案内されて軸筒１０内を前後動する。
【００１１】
一方、挿通孔２１ａに挿通された予備ボールペンレフィール５０は保持部２２表面の平坦部で挿通孔２１ａの内周面に圧迫されて保持される。そして、予備ボールペンレフィール５０の尾端部は、図１ないし図２に示すように、軸筒１０の縦リブ１４の先端に当接して位置決めされている。
【００１２】
ボールペンレフィール３０は弾発部材であるコイルスプリング３９により後方に弾発されているが、スプリング３９の前端は図３に示す詰栓２０に形成されたばね受け部２４で受け止められている。なお、詰栓２０の中央棒２３は、３本のスプリング３９が干渉するのを防止するために設けられている。
【００１３】
ボールペンレフィール３０の尾端にはスライダー４０が取り付けられている。スライダー４０の表面には押圧部４１が形成されており、軸筒１０のスリット１３から突出している。スライダー４０の裏面には、ボールペンレフィール３０のペン体部３１を軸筒１０の先端開口１５から相互に突出および没入させるための被衝突部４２と衝突部４３が形成されている。
【００１４】
いずれのボールペンレフィール３０のペン体部３１も軸筒１０内に没入した図１の状態から筆記しようとする色のインキが充填されたボールペンレフィール３０に取り付けられたスライダー４０の押圧部４１を指先で押圧して前進させると、図２に示すように、ペン体部３１が先端開口１５から突出するとともに、スライダー４０は軸筒１０の係止部１６に係合し、筆記可能になる。次に、他のインキが充填されたボールペンレフィール３０で筆記するときは、そのスライダー４０を前進させると、前進中のスライダー４０の衝突部４３が筆記可能状態にあるボールペンレフィール３０のスライダー４０の被衝突部４２に衝突して径方向に変位させる。したがって、係止部１６との係合が解除されてボールペンレフィール３０は後退し、一方、前進するスライダー４０は軸筒１０の係止部１６に係止して筆記可能になる。また、筆記が終了して図１に示す状態に戻すには、残り２個のスライダー４０のいずれかを前進させて衝突部４３を筆記可能状態にあるボールペンレフィール３０のスライダー４０の被衝突部４２に衝突して径方向に変位させて後退させるとともに、そのタイミングでスライダー４０の前進を解除するとよい。
【００１５】
そして、使用頻度の最も高い黒色インキを使い尽くすと、前軸１２を後軸１１から分離し、黒色インキが充填されたボールペンレフィール３０と予備ボールペンレフィール５０をスライダー４０および詰栓２０から引き抜き、予備ボールペンレフィール５０をスライダー４０に差し込めばよい。そして、前軸１２を後軸１１に接続すると再び黒色インキで筆記することができる。
【図面の簡単な説明】
【００１６】
【図１】本発明実施例の断面図であり、非使用状態を示す。
【図２】同じく本発明実施例の断面図であり、筆記可能状態を示す。
【図３】詰栓の断面図である。
【図４】詰栓の底面図である。
【符号の説明】
【００１７】
１０    軸筒
１１    後軸
１２    前軸
１３    スリット
１４    縦リブ
１５    先端開口
１６    係止部
２０    詰栓
２１    挿通孔
２２    保持部
３０    ボールペンレフィール
３１    ペン体部
４０    スライダー
４１    押圧部
４２    被衝突部
４３    衝突部
５０    予備ボールペンレフィール
【図１】
2005066963.tif 000003
【図２】
2005066963.tif 000004
【図３】
2005066963.tif 000005
【図４】
2005066963.tif 000006